Podtech/llm-jp-corpus-v4-ja_patent huggingface dataset:
(57)【要約】【課題】本考案は、コンサート・カラオケ・講座会場などで、ある種の音源のみ明確に聞き取る装置を作成し、演奏技術の向上や受講状態の改善を図るものである。【解決手段】アンプまたはミキサーに送信機・演奏者または受講者に受信機をつけ、必要とする音源を明確に聞き取れるようにした。【選択図】図１
0003128487.tif 000002
【実用新案登録請求の範囲】
【請求項１】
アンプ・ミキサー本体に発信機、演奏者に受信機をつけ、情報を送ることにより、必要とする音源情報をのみ、演奏者が受け取れるようにした装置である。
【考案の詳細な説明】
【技術分野】
【０００１】アンプ・ミキサー本体に発信機、演奏者に受信機をつけ、情報を送ることにより、必要とする音源情報をのみ、演奏者が受け取れるようにした装置である。
【背景技術】
【０００２】コンサートで演奏する場合・カラオケでマイクで歌う場合、自分の音源は他の音源と一緒にスピーカーから出てくる。その場合自分の音源だけ聞く事ができず、音程やリズムをうまく取ることができなかった。
【考案の開示】
【考案が解決しようとする課題】
【０００３】別アンプを用いて自分の声のみ聞く装置（スピーカー）は、場所的・費用的負担が大である。用途に応じて必要な音源が聞こえるコンパクトな装置の開発が必要である。
【課題を解決するための手段】
【０００４】アンプ・ミキサー本体に発信機、演奏者に受信機をつけ、情報を送ることにより、必要とする音源情報をのみ、演奏者が受け取れるようにした。本考案は受信機を縦３ｃｍ、横４ｃｍ、深さ１．５ｃｍの軽量化に成功した。
【考案の効果】
【０００５】発信機から受信機までの情報はワイヤレスで送られるので、場所的・費用的な負担が少ない。
【考案を実施するための最良の形態】
【０００６】レシーバーから自分の演奏音を聞き取れない事に関しては、レシーバーから自分の必要な音量で演奏音を聞けるようにした。演奏者からマイクを通して演奏された音源はマイクアンプから、コントロールアンプに入る。またカラオケの音楽がオーディオソース（カラオケ再生装置）において、モニターに映像信号を送るとともに（カラオケ映像の配信）コントロールアンプにカラオケ音声の信号を送る。この時点で演奏者の音源とカラオケ本体の音源がコントロールアンプにて合体され、マイクエコーがかかったり、入出力の選択、音入出力要求が必要とされる。一方マイクアンプから発生された音源はエフェクタでエコーがかかるシステムになっており、これが再びアンプに入力される。そのため、種々のアンプに対する入力調整機能を準備する必要があり、これを整備した。入力調整された音源は発信機から受信機にワイヤレスで情報をとばす。また入力調整されたアンプからパワーアンプに入力され、スピーカーを介して室内音量となる。この場合スピーカー音が大きいと室内での会話が困難になるが、この装置により演奏者のみレシーバーを会し、必要な音量を確保できるため、室内音量を下げる事が可能となった。
【実施例】
【０００７】  以下添付図面（概念図）に従って実施例を説明する。１．は既存のマイクである。演奏者より発信された音楽は、マイクから２．マイクアンプ３はコントロールアンプに入力される。一方コントロールアンプには４．元オーディオソースより発信された伴奏の音楽も入力される。またマ２．マイクアンプに入力された演奏者の音源は、５．エフェクタにより、エコー等がかかっている。３．のコントロールアンプは種々のタイプがあるため、入力調整が必要とされる。このためアンプの入力調整機能を準備した入力調整機器６．を用意し、この機器に発信機能をもたせることとした。６．入力調整機から発生された音源は７．パワーアンプ部に再び入り８スピーカーを通じて室内音量となるが、演奏者は９．受信機を搭載した１０レシーバーを通じて、自分の必要な音量で演奏音を聞いているため、室内音量を下げることが可能である。
【産業上の利用可能性】
【０００８】カラオケのみならず講座の受講会場、福祉関係にも転用が可能。
【図面の簡単な説明】
【０００９】
【図１】本考案の概念図である。
【図２】本考案の回路図である。・入力調整部・発信部の２点からなる。
【図３】本考案の回路図である。発信部である。
【符号の説明】
【００１０】以下回路図の符号の説明を行う。
１．ＭＯＮＯＩＮ  マイク入力（音声１）・・・マイクアンプ、エフェクタからの入力処理を行う。
２．ＳＴＥＲＯ  ＩＮ（ＬＩＮＥ入力）ステレオ音声２／３・・多種のアンプに対応する入力信号処理を行う。
３．ＭＡＩＮＯＵＴメインスピーカー用出力
４．ＰＨＯＮＥ  ワイヤ接続レシーバ出力・・モニタ／調整用出力
５．ＴＲＡＮＴ  ワイヤレス接続レシーバー用（受信機経由）  ＦＭ信号用アンテナ（ノイズフイルター共）
６．ＦＲＥＱ．ＳＥＴ  発信周波数の選択（７ｃｈ×２）・・・環境により周波数を切り替え、ノイズを低減する
Ｖ１ＧＡＩＮ・・・マイク音量調整  マイクとＬＩＮＥ入力の調整で多様なミキシングを行う
Ｖ２ＧＡＩＮ・・・ＭＡＩＮ出力音量調整（ステレオ）・・接続アンプによる信号強弱の調整
Ｖ３ＧＡＩＮ・・・ＭＡＩＮ出力音量調整・メインスピーカー（室内音量）の調整を行う
Ｖ４ＧＡＩＮ・・・レシーバ出力音量調整・・レシーバー能力に合わせた送受信量の調節
Ｖ５ＬＥＶＥＬ・・・レシーバ出力音量調整・・演奏者に十分な音量でのモニタリングを提供する
【図１】
0003128487.tif 000003
【図２】
0003128487.tif 000004
【図３】
0003128487.tif 000005
【手続補正書】
【提出日】平成18年10月17日(2006.10.17)
【手続補正１】
【補正対象書類名】実用新案登録請求の範囲
【補正対象項目名】全文
【補正方法】変更
【補正の内容】
【実用新案登録請求の範囲】
【請求項１】
マイクを通して音源を入力するマイク入力端子と、
別の音源を入力するプリアンプ入力端子とを
備えたアンプ・ミキサーと、
ワイヤレス発信回路を備え、前記アンプ・ミキサーに接続された発信機と、
発信機からの音源情報を受け取るワイヤレス受信機と、
ワイヤレス受信機に接続されたイヤフォンと
からなるワイヤレス送受信システムであって、
前記マイク入力端子、前記プリアンプ入力端子、前記ワイヤレス発信回路は、音量調整ができるようそれぞれ回線を別にして設けられ、
ワイヤレス受信機は、ひとつのチャンネルを切替スイッチにて選択可能に構成されていることを特徴とする
音源の出力を個別調整可能にしたワイヤレス送受信システム。
(57)【要約】【課題】日めくりカレンダーのケース本体が、小物差しに変化して、さらに中身の日めくりと一体化でき、壁面に掛けられるところを特徴とする小物差し付日めくりカレンダーケース。【解決手段】日めくりカレンダーケースに、日めくりを取り出した後に、小物差しに変化出来るように上部吊るし部分と下部日めくり金具止め部分を付けた。さらに下部の左右のベロを日めくり金具止めと日めくりの間の溝に入れて日めくりをしっかりと固定する。【選択図】図５
0003128471.tif 000002
【実用新案登録請求の範囲】
【請求項１】
日めくりカレンダーのケース本体を、厚紙やポリプロピレン等の折り曲げ、抜き、貼り加工のしやすい部材を用いて作成する。その際、小物差しに変化する付加価値機能を上部吊るし部分と下部日めくり金具止め部分を加える事で生み出し、さらに下部の左右のベロを日めくり金具止めと日めくりの間の溝に入れる事により、中身の日めくりと一体化できて壁面に掛けられるところを特徴とする小物差し付日めくりカレンダーケース。
【考案の詳細な説明】
【技術分野】
【０００１】  本考案は、小物差しを付けた日めくりカレンダーケースに関するものである。
【背景技術】
【０００２】  従来、多くの小型の日めくりカレンダーは、ボール紙に取付穴があいた台紙とセットされて販売されてきた。それは、台紙に名入れをして、その中央に日めくりを取り付けて壁面に掛けるという販売方法が主流であった為である。台紙とのセットの販売は、袋入れの加工には平面の台紙と厚みのある日めくりが体積を増し梱包用外箱に多く入らない。そのために運賃がかさんでしまう。セットをしなくても形状が違うので梱包しにくい。さらに掛ける壁面の面積も多くを必要とする。また、名入を必要としない小売用の小型の日めくりもこの従来の名入れ用の台紙とのセット販売が踏襲されてきた。
【考案の開示】
【考案が解決しようとする課題】
【０００３】  台紙とのセットの販売方法は梱包用外箱や運賃等の経済的負担も大きく、また、掛ける壁面の面積も多く必要となる。また、インテリアとしての美的要素が欠けている。従って、日めくりを掛ける台紙の機能をコンパクト化し、小物差しの付加価値を付け、さらに千代紙等の合紙する事等により、美しい和風インテリア小物となり、前述の欠点を解決しようとするものである。
【課題を解決するための手段】
【０００４】  本考案は、日めくりのケースを捨てずに、吊り下げる工夫をして再利用するもので、無駄が無い。ケースは、中身の日めくりと殆んど同じ寸法なので掛ける壁面の面積が小さくてすむ。さらに日常生活に便利な小物差しの機能が加わる。
【考案の効果】
【０００５】  上述の様に、本考案の小物差し付日めくりカレンダーケースは、日めくりのケースがそのまま壁面に掛ける台紙の代わりになるので、台紙とのセット販売方法よりも梱包用外箱や運賃等の経済的負担がかなり削減できる。また、小売販売の場合の売り場面積が小さくてすみ、購入者が持ち帰えるにも便利なサイズである。
【考案を実施するための最良の形態】
【０００６】  日めくりのケースに、上部には壁面に掛ける為に穴のあいた吊るし部分を付けた。下部には、日めくり金具止め部分を付けた。ケースが小物差しに変わりその下に取り付けた日めくりは、下部のベロを日めくりの金具止めと日めくりの間の溝に入れる事により、小物差しと一体化して安定する。この事により、日めくりを下に引き取る作業がしやすくなる。
【実施例】
【０００７】  以下、添付図面に従って一実施例を説明する。図１は、中に日めくりが入っているケースを開け、中身の日めくりを取り出し、上部の吊るし部分と下部の日めくり金具止め部分を引き出した図面である。図２は、底蓋を下部の左右のベロを出したまま閉め、上の吊るし部分と上蓋の両面テープを剥がし、中面へ貼り付け、上部左右のベロを切り取った図面である。図３は、吊るし部分と日めくり金具止め部分を前面側に折った図面である。図４は、日めくり金具止め部分に日めくりの金具を起こして入れ内側に折り、下部の左右のベロを日めくり金具と日めくりの間の溝に入れた図面である。図５は、完成の図面である。図６は、小物差し付日めくりカレンダーケースの展開図である。
【産業上の利用可能性】
【０００８】  本考案は、日めくりカレンダーの小売市場分野は勿論、小物差し付の付加価値に新規性があり、企業の広告宣伝物としても利用することができる。
【図面の簡単な説明】
【０００９】
【図１】日めくり金具止め部分を引き出した図面である。
【図２】下部の左右のベロと上部吊るし部分の図面である。
【図３】吊るし部分と日めくり金具止め部分の図面である。
【図４】日めくりの金具止めと下部の左右のベロの図面である。
【図５】完成の図面である。
【図６】展開図である。
【符号の説明】
【００１０】１  小物差し付日めくり本体
２  日めくり
３  上部吊るし部分
４  下部日めくり金具止め部分
５  上蓋
６  下蓋
７  上部ベロ
８  下部ベロ
【図１】
0003128471.tif 000003
【図２】
0003128471.tif 000004
【図３】
0003128471.tif 000005
【図４】
0003128471.tif 000006
【図５】
0003128471.tif 000007
【図６】
0003128471.tif 000008
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
日めくりカレンダーを収納したケースにおいて、
（１）ケースは厚紙やポリプロピレン等の折り曲げ、抜き加工のしやすい部材を用い、
（２）壁や柱に鋲等で掛ける為の上部吊るし部分と、日めくりを付ける為の下部日めくり金具止め部分を設ける事と、日めくりの金具止めの溝に入れて日めくりとケースを固定させる下部の左右のベロを設ける事で、ケースが小物差しの付いた日めくりカレンダーになる、
以上の構成からなる小物差し付日めくりカレンダーケース。
(57)【要約】【課題】  本考案は天井、壁面などのジョイント部分に発生するクラックを金属シート付寒冷紗を貼る工法にて防止する。【解決手段】  本考案はクラックの発生する要因であるジョイント部分の処理を通常の目地寒冷紗にパテ処理という工法から、金属シートと寒冷紗を併用することにより、ジョイント部分の動きを直接仕上げ表面に伝わらせず、多少の動きでのクラックが生じないよう考案されたものである。【選択図】図５
0003128475.tif 000002
【実用新案登録請求の範囲】
【請求項１】
塗装、クロス、左官等の仕上げ面においてのクラックに対し下地材の目地に寒冷紗と金属製シートを併用したうえでパテ処理をすることにより、目地部分からのクラックの発生を防止させる。なお、その寒冷紗と金属製シートを一体化させることによって、より施工を簡易化させることを特徴とする。
【考案の詳細な説明】
【技術分野】
【０００１】  本考案は目地寒冷紗と金属製シートを併用させ、壁面に起こるクラックを防止するものである。
【背景技術】
【０００２】  従来、塗装、クロス、左官等の仕上げ面においてのクラックの防止処理は下地材ジョイント部分への「目地寒冷紗にパテ処理」という工法であったためジョイント部分の極微の動きにおいてもクラックが生じてしまう。
【考案の開示】
【考案が解決しようとする課題】
【０００３】  内装天井、壁面においてビルの揺れ、振動などによって起こるプラスターボードなどの下地のないジョイント部分のクラック、また木材のような伸縮の大きい下地材によるジョイント部分のクラックなど仕上げ後短期間において、クラックが発生する場合が多く、何度も補修処置を施さなければならない。この点を解決しようとするものである。
【問題を解決するための手段】
【０００４】  まずジョイント部分に双方の動きを止める為のパテ処理を施したあと金属製シートを接着することで直接にジョイント部分の動きを受けなくなりまた動きを弱めることとなる。更にその上に寒冷紗を被せる（金属製シート幅は寒冷紗幅よりも狭くする）。最後に通常のパテ処理をすることで目地部分は固定され、従来以上にクラックに対する問題は解決される。
【考案の効果】
【０００５】  ２年前からクラック発生の可能性のあるジョイントに対し、この工法を取り入れ金属製シート（アルミテープ）と寒冷紗（ファイバーテープ）を利用して、２０件ほどの施工を行なったが現在のところ、それに関しクラックの発生はない。
【考案の実施するための最良の形態】
【０００６】  金属シートを貼った上に寒冷紗を被せていくこの工法は作業効率が悪く問題がある。そこで寒冷紗に金属製シートを接着させ一体化させ、テープ状にし、更に粘着剤が塗布された金属製シートとすることによりジョイント部分への接着が容易となり、従来の「目地寒冷紗にパテ処理」と作業効率において大差なくなる。
【実施例】
【０００７】  下地のないプラスターボードジョイントの場合（図−４）
１．プラスターボードジョイント部分のＶカット
２．Ｖカット部分パテ処理（油性パテまたはＧＬボンド）
３．接着面プライマー処理の上、金属シート付寒冷紗テープ貼り
４．通常パテ仕上げ【０００８】  木材とプラスターボードとのジョイントの場合（図−５）
１．木材とプラスターボードのジョイント部分のＶカット
２．Ｖカット部分パテ処理（油性パテ）
３．接着面油性プライマー処理の上、金属シート付寒冷紗テープ貼り
４．通常パテ仕上げ
【図面の簡単な説明】
【０００９】
【図１】  本考案の金属シート付寒冷紗テープの表面図である。
【図２】  本考案の金属シート付寒冷紗テープの裏面図である。
【図３】  本考案の金属シート付寒冷紗テープの断面図である。
【図４】  下地のないプラスターボードジョイントの場合の実施図である。
【図５】  木材とプラスターボードとのジョイントの場合の実施図である。
【符号の説明】
【００１０】（図１〜図３）
１  寒冷紗
２  金属製シート
（図４〜図５）
１  プラスターボード
２  木材
３  パテ
４  金属製シート付寒冷紗テープ
５  仕上げパテ
【図１】
0003128475.tif 000003
【図２】
0003128475.tif 000004
【図３】
0003128475.tif 000005
【図４】
0003128475.tif 000006
【図５】
0003128475.tif 000007
【手続補正書】
【提出日】平成18年10月16日(2006.10.16)
【手続補正１】
【補正対象書類名】実用新案登録請求の範囲
【補正対象項目名】全文
【補正方法】変更
【補正の内容】
【実用新案登録請求の範囲】
【請求項１】
塗装、クロス、左官の仕上げ面において下地材のジョイント部分や下地材から発生したクラック上に貼り付けるクラック防止テープであって、粘着を伴った金属シート上に寒冷紗を接着させたクラック防止テープ。
(57)【要約】      （修正有）【課題】既存の左官用出隅押さえ鏝は、押さえ板全体が変形しないようにするため、約９０度の決められた角度で丈夫に加工されており、仕上げる壁の出隅部分の角度に対して柔軟性がなかった。また、壁塗りの仕上げ段階において壁の出隅部分を仕上げるときに、周辺の壁に意図しない擦り傷、引き傷などを付けずに仕上げるには相当の熟練を必要とした。【解決手段】薄くて弾力性のある２枚の押さえ板３４および３５を適度な固さを有する接続材３６で連結することで、仕上げる壁の出隅部分の多様な角度に柔軟に対応でき、初心者でも短時間の訓練で見栄えのする壁塗り作業を可能にする。また、自然な風合いに仕上げる塗り壁の出隅部分の仕上げ作業に十分対応しうる左官用出隅押さえ鏝が可能となる。【選択図】図４
0003128478.tif 000002
【実用新案登録請求の範囲】
【請求項１】
２枚の押さえ板を連結することにより、折り曲げ角度を調整可能とし、それ以外の平面部は変形しない十分な強度を確保したことを特徴とする、左官用出隅押さえ鏝。
【考案の詳細な説明】
【技術分野】
【０００１】  本考案は壁塗り仕上げ作業の最終作業となる壁面の角張ったコーナー部分（以下、出隅部分）の仕上げについて壁の出隅部分の多様な角度に応じてその都度角度を調整し、柔軟に対応しながら、しっかり押さえることが出来、なおかつ周辺の壁に意図しない押さえ傷や引き傷を作らないで仕上げることが出来る左官用角度可変式出隅押さえ鏝を提供するものである。
【背景技術】
【０００２】  従来の壁塗り仕上げ作業用の左官用出隅押さえ鏝は、角度が固定された上になおかつ押さえ板全面が強固に加工されていた。
【考案の開示】
【考案が解決しようとする課題】
【０００３】  従来の左官用鏝の出隅押さえ鏝の押さえ板は図１の１３ように等辺の形状で、さらに全体が金属など強度のある画一的な材質の物で形成され、その中央部を縦方向に特定の角度で折り曲げられ、固定加工されていた。したがって、１３の押さえ板は、仕上げる壁面の出隅部分の角度に対して融通性がなく、その押さえ板の両端部で周辺の壁に意図しない傷をしばしばつけていた。【０００４】  また、従来の左官用鏝の片袖面引き押さえ鏝の押さえ板は、図２の２３ように不等辺の形状で、さらに全体が金属など強度のある画一的な材質の物で形成され、柱脚２２が片方の幅の広い平面部２３ｂに固定され、もう一方の幅の狭い平面部２３ａが特定の角度に折り曲げられ、固定加工されていた。
したがって、２３の押さえ板は、仕上げる壁面の出隅部分の角度に対して融通性がなく、その押さえ板の両端部で周辺の壁に意図しない傷をしばしばつけていた。
【課題を解決するための手段】
【０００５】  本考案の左官用角度可変式出隅押さえ鏝は、図３に示すとおり押さえ板３４および３５を接続材３６で連結し、押さえ板３４を補強板３３にて固定する加工を施すことで角度を任意に変えられる機能が実現する。
【考案の効果】
【０００６】  本考案の左官用角度可変式出隅押さえ鏝の効果を図３において説明すると柄３１の下部に柱脚３２を固定してさらに、その先に適度な強度を持たせた補強板３３を固定する。
その補強板３３に押さえ板３４を固定し、もう一方の押さえ板３５を適度な固さを有する接続材３６で押さえ板３４と連結することにより、押さえ板３５は押さえ板の連結部３７を中心として自由に動くことが可能となり、押さえ板３４と３５が構成する角度を任意に調整することができる。【０００７】  上記理由から、本考案の左官用角度可変式出隅押さえ鏝は、仕上げる塗り壁の出隅部分の角度に左右される事なく、幅広い任意の角度に対応する事ができる効果がある。
また、この左官用角度可変式出隅押さえ鏝は押さえ板が薄く、かつ弾力性があるので、鏝を押さえる力が強すぎた場合には連結部３７を中心として押さえ板３５が開くことにより、周辺の壁を傷つけない効果がある。【０００８】  さらに、上記理由から短時間の訓練で、９０度以上のいかなる出隅部分の角度に対しても任意の角度で見栄えのする隅押さえ塗り作業が可能となる。【０００９】  さらに、上記理由から作業時間が飛躍的に短縮でき、効率的な作業が出来る。【００１０】  さらに、当考案は実施するに当り、特殊な加工工程がないので安価な製品化が可能となる。
【考案を実施するための最良の形態】
【００１１】  図３のとおり、柄３１に柱脚３２を固定して、その先に補強板３３を固定する。その補強板３３に薄く、かつ弾力性のある材料を用いた押さえ板３４を固定し、もう一方の押さえ板３５を適度な固さを有する接続材３６を用いて押さえ板３４と連結する。
【実施例】
【００１２】  本考案の左官用角度可変式出隅押さえ鏝を図３において説明すると、柄３１に柱脚３２を固定し、その先に補強板３３、押さえ板３４を固定する。さらにもう一方の押さえ板３５を接続材３６を用いて押さえ板３４と連結する。
【図面の簡単な説明】
【００１３】
【図１】従来の左官用出隅押さえ鏝の断面図
【図２】従来の左官用片袖面引き押さえ鏝の断面図
【図３】本考案の左官用角度可変式出隅押さえ鏝の実施例１を示した断面図
【図４】本考案の左官用角度可変式出隅押さえ鏝の実施例１を示した斜視図
【符号の説明】
【００１４】１１は従来の左官用出隅押さえ鏝の柄
１２は従来の左官用出隅押さえ鏝の柱脚
１３は従来の左官用出隅押さえ鏝の押さえ板
１３ａは従来の左官用出隅押さえ鏝の押さえ板左端部
１３ｂは従来の左官用出隅押さえ鏝の押さえ板右端部
２１は従来の左官用片袖面引き押さえ鏝の柄
２２は従来の左官用片袖面引き押さえ鏝の柱脚
２３は従来の左官用片袖面引き押さえ鏝の押さえ板
２３ａは従来の左官用片袖面引き押さえ鏝の幅の狭い平面部
２３ｂは従来の左官用片袖面引き押さえ鏝の幅の広い平面部
３１は本考案実施例１の左官用角度可変式出隅押さえ鏝の柄
３２は本考案実施例１の左官用角度可変式出隅押さえ鏝の柱脚
３３は本考案実施例１の左官用角度可変式出隅押さえ鏝の補強板
３４は本考案実施例１の左官用角度可変式出隅押さえ鏝の押さえ板
３５は本考案実施例１の左官用角度可変式出隅押さえ鏝の押さえ板
３６は本考案実施例１の左官用角度可変式出隅押さえ鏝の押さえ板接続材
３７は本考案実施例１の左官用角度可変式出隅押さえ鏝の押さえ板連結部
【図１】
0003128478.tif 000003
【図２】
0003128478.tif 000004
【図３】
0003128478.tif 000005
【図４】
0003128478.tif 000006
【手続補正書】
【提出日】平成18年10月5日(2006.10.5)
【手続補正１】
【補正対象書類名】実用新案登録請求の範囲
【補正対象項目名】全文
【補正方法】変更
【補正の内容】
【実用新案登録請求の範囲】
【請求項１】
適度な厚みと弾性力を有する材料から成る平坦部材を用いた鏝板２枚のうち、１枚において、当該鏝板が壁に接触する面と反対側の面に、強固な材質から成る補強板を取り付け、当該補強板に柱脚及び柄から成る把持部材を固定し、かつ、当該２枚の鏝板を並列し、隣接する鏝板端縁部を、適度な厚みと固さを有する接続材を用いて連結する構造を特徴とする、左官用出隅押さえ鏝。
(57)【要約】【課題】  開けた袋の口をゴムの伸縮性を利用して閉じる時、強く巻き付け密閉性を高め、しかも簡単に取り外したい。【解決手段】  ゴムを留めるためのフックを備えた本考案を対象物と一緒に巻き付けてしまう事で、本考案と対象物を一体化させ、強く巻く事と取り外し易さを同時に解決した。【選択図】図１
0003128474.tif 000002
【実用新案登録請求の範囲】
【請求項１】
伸ばしたゴムの両端を留めるための着脱可能器具を備えた本考案を、ゴムを巻き付ける対象物と一緒に巻く特徴を持つ、袋の口閉じ器具である。
【考案の詳細な説明】
【技術分野】
【０００１】  本考案は、ゴムの伸縮性を利用した、袋の口閉じ器具に関するものである。
【背景技術】
【０００２】  袋入りで販売されている食品は、必ずしも一度に食べ切る訳ではなく、残りは袋の口を閉じて保存する事が多い。また食品以外に関しても、残りがある場合は袋の口を閉じて保存したい。
【考案の開示】
【考案が解決しようとする課題】
【０００３】  開けた袋の口は、ゴムを巻き付け伸縮性を利用して閉じる方法があるが、密閉性を高めるため強く巻くと取り外しにくく、逆にゆるく巻くと密閉性が弱くなる。
【課題を解決するための手段】
【０００４】  ゴムで袋の口を閉じようとする時、対象物と本考案を一緒に巻くため、本考案が支えとなり、たとえ対象物が柔らかい材質でも強い巻きつけが可能になり、同時に本考案も対象物と一体化して安定する。本考案にはゴムの端を留めるための着脱可能器具を備え、ゴムの巻き終わり位置の確認が容易で、強い巻き付けと、取り外し易さを同時に解決しようとしている。
【考案の効果】
【０００５】  本考案は、ゴムを一定方向に伸ばしながら巻き付けるため、ねじれやよれが少なく、ゴムが傷みにくいうえ、強い巻き付けが可能である。したがって、本考案を使い袋の口を閉じた時、高い密閉性が期待出来て安心である。
【考案を実施するための最良の形態】
【０００６】  本考案は、伸ばしたゴムの両端を留めるための着脱可能部分、ゴムを巻き付ける軸部分、おさえ部分、そして巻き付け用ゴムの４つで構成される。着脱可能部分にはフックを用いたい。巻き始めを留めるフックにはひっかかりを設け、力を加えて外そうとしない限り、通常はゴムがフックに留まっている形状が望ましい。巻き終りを留めるフックは、伸ばしたゴムが確実に留まり、なおかつ外し易い形状にしたい。軸部分は強度を考えながらも細い円柱形にすると密閉性が得易くなる。おさえ部分は本考案を対象物に一時おさえておくため、親指の先が乗る程の大きさとしながらも、対象物が大型の場合は本考案も見合う大きさになる。巻き付け用ゴムは輪になっていると使い易い。
【実施例】
【０００７】  一方のフックにゴムを留めた本考案を用意して、開いた袋の口を細くまとめてから希望する場所に本考案をあてがう。おさえ部分に左手の親指を乗せて全体を軽く握り、右手でゴムのもう一方の端を引きながら、本考案の軸部分と対象物を一緒に巻き付ける。ゴムの残りを確認しながら巻き終りをフックに留める。左右の手は取り替え自由である。
【図面の簡単な説明】
【０００８】
【図１】  見取り図
【図２】  ゴムを外した正面図
【図３】  ゴムを外した上面図
【図４】  ゴムを外した側面図
【符号の説明】
【０００９】１  フック
２  軸
３  おさえ
４  ゴム
【図１】
0003128474.tif 000003
【図２】
0003128474.tif 000004
【図３】
0003128474.tif 000005
【図４】
0003128474.tif 000006
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
軸の一方を平たくして手指による押さえ箇所とし、軸の中央に着脱可能器具を設け、ここに組み合わせ用のゴムを取り付け、このゴムを伸ばし軸と対象物を一緒に巻き付け一体化させ、ゴムの反対の端は着脱可能器具に留めて固定する、袋の口閉じ器具。
(57)【要約】【課題】建築時において、壁や屋根材を、取り付ける場合の割り付け（墨出し）を、容易にする。【解決手段】粘着テープに材料の働き幅の目盛り７を付けたものを、壁や屋根の下地材に基準線を引き、それに粘着テープの目盛りを合わせて、貼り付ける。【選択図】図１
0003128476.tif 000002
【実用新案登録請求の範囲】
【請求項１】
粘着テープに目盛りを付けた物。
【考案の詳細な説明】
【技術分野】
【０００１】  本考案は、建築時において壁や屋根等を張る場合の割り付け（墨出し）に関する。
【背景技術】
【０００２】  従来建築時において、壁張り（タテ張り）の場合を、例にすれば、垂直な線を１本、もしくは数本出して、壁材をまず１枚その垂線から計り、垂直に張る。続いて数枚張るごとに近くの垂線から、寸法を計り修正しながら、何度も寸法を計り張りあげていく。【０００３】  もしくは、垂線を１本引き、それを基準に巻尺などで壁材の働き幅で、図２の４の様に印を上下に付けて、それに壁材を合わせて張りあげる。例えば働き幅が１００の場合には、１００  ２００、３００・・・と印を付ける。半端な寸法、例えば１５５の働き幅の場合は、１５５、３１０、４６５・・・と印を付ける。
【考案の開示】
【考案が解決しようとする課題】
【０００４】  上述の如く、従来技術は、壁材を垂直に正確に張るために何度も寸法を計る必要があり、手間がかかった。【０００５】  従来技術は、垂直な線に合わせて、壁材の働き幅で、巻尺などで上下に全部、壁に印を付けて張りあげるため、手間がかかり、そのうえ、半端な寸法の働き幅の場合などは、間違いも多く、手間もかかった。
【課題を解決するための手段】
【０００６】  本考案は、それらの欠点を除くためのものである。これを図面によって説明すれば、図３の様に壁面に垂直な線１を引き、それに本考案の働き幅で目盛りを付けた粘着テープの、目盛りを合わせ、壁の下地材に図の様に貼り付ける。あとは目盛りに合わせて壁材を張り付けていく。
【考案の効果】
【０００７】  以上説明した様に、本考案によれば、垂線を１本引き、それに本考案の働き幅で目盛りを付けた粘着テープを合わせて図３の２の様に貼る。そのため間違いも少なく割り付けも、早くできる。その他として、壁のヨコ張り、屋根のタテ、ヨコ張りの場合も同様に基準線を引き、それに合わせて目盛り付き粘着テープを使用する。この様に手間もかからず間違いも少なくなるので、施工が容易であり、仕上がりの時間を短縮できる。また、寸法を取る時に、材料の枚数を適確に出す事ができる。その他等間隔の穴あけ、ビス止め等にも応用できる。
【考案を実施するための最良の形態】
【０００８】  以下、本考案の実施の形態を図面に基づき詳細に説明する。【０００９】  図１  は本考案の斜視図
図２  は外壁材の働き幅で割り付けた時の建築物の壁面の正面図
図３  は本考案の目盛りの付いた粘着テープを貼った状態の建築物の壁面の正面図【００１０】  図３に示す様に、壁に垂直な線を、下げ振り等で出し、印を上下に付けて、それに本考案の目盛り付き粘着テープの目盛りを合わせて、上下に貼り付ける。窓の上下にも貼り付ける。あとは、目盛り付き粘着テープの上から目盛り付き粘着テープの目盛りに合わせて、外壁材を取り付けていく。【００１１】  壁のヨコ張り、屋根のタテ、ヨコ張りの場合も同様に基準線を引き、それに目盛り付き粘着テープの目盛りを合わせて使用する。
【実施例】
【００１２】  本考案の目盛り付き粘着テープは、通常は貼り込んで使用する。用途に応じて、目盛り付き粘着テープを、はがす必要がある場合は、養生テープ等の様な粘着力の弱い目盛り付き粘着テープを使用して、外壁の下地材に印を付けたあとに、はがす。【００１３】  目盛りとしては、通常は図１の７の目盛りの様に、長い印は１００ｍｍ単位の目盛り、短かい印はその半分の５０ｍｍの目盛りである。大部分の働き幅は、これで対応ができる。（５０、１００、１５０、２００−−の様に。）その他、特殊な働き幅の目盛りを付けた粘着テープを製造する。
【産業上の利用可能性】
【００１４】  本考案は、粘着テープを製造販売する産業分野で、利用する事ができる。
【図面の簡単な説明】
【００１５】
【図１】  本考案の斜視図
【図２】  外壁材の働き幅で割り付けた状態の建築物の壁面の正面図
【図３】  本考案の働き幅の目盛りのついた粘着テープを貼った状態の建築物の壁面の正面図
【符号の説明】
【００１６】  １  垂線
２  本考案の目盛り付き粘着テープ
３  外壁材
４  働き幅で割り付けた印
５  窓
６  基礎
７  目盛り
【図１】
0003128476.tif 000003
【図２】
0003128476.tif 000004
【図３】
0003128476.tif 000005
【手続補正書】
【提出日】平成18年10月6日(2006.10.6)
【手続補正１】
【補正対象書類名】実用新案登録請求の範囲
【補正対象項目名】全文
【補正方法】変更
【補正の内容】
【実用新案登録請求の範囲】
【請求項１】
目盛りを付けた粘着テープをロール状にしたもの。
(57)【要約】【課題】交通指揮棒ホイッスル音装置を提供する【解決手段】  本考案は交通指揮棒ホイッスル音装置に係り、より実用的な交通指揮棒を提供する。主にＬＥＤライトによる発光の機能を具有する指揮棒にサーキットボードを設け、サーキットボードに連結する各ＬＥＤライトをコントロールする。サーキットボードよりホイッスルの音を発する機能を具有し、スピーカーに連結するため、指揮棒が発光して交通を指揮すると同時に、ホイッスル音を発するため、交通指揮者が口を使用せずに、警告音を出すことのできる交通指揮棒を提供する。【選択図】  図２
0003128623.tif 000002
【実用新案登録請求の範囲】
【請求項１】
棒体部にサーキットボード、バッテリーを設置し、サーキットボードに数個のＬＥＤライトとライトスイッチを連結し、ＬＥＤライトの発光をコントロールし、該サーキットボードはホイッスルを模擬した信号を発し、スピーカーに連結し、ホイッスル音がスピーカーより外部に漏れ、ライト及びホイッスルの効果を合わせ持つことを特徴とする交通指揮棒の構造。
【考案の詳細な説明】
【技術分野】
【０００１】
本考案は交通指揮棒の構造に関し、主な技術及び目的は、棒体部の中にサーキットボード、バッテリーを設け、サーキットボードに数個のＬＥＤライト及びスピーカーを設置することで、ＬＥＤライトが発光及びスピーカーよりホイッスルの音を発する交通指揮棒の構造に関する。
【背景技術】
【０００２】
公知の交通指揮棒は棒体部の中にバッテリー及び電球、ライトスイッチを設置することで、明滅するライトを発光し、指揮棒を目立たせる効果をもたらすが、下記の欠点を併せ持つ。
（１）  ライトを発光するのみでホイッスルのようなアラーム音を発することができない。
（２）  ホイッスルを吹きながら交通を指揮する場合、指揮者が口にホイッスルを銜えねばならない。口を使うためマスクをすることができず、車両の排気ガスを吸い込みやすく、健康を害する。従って、上述の技術を改善する必要があった。
【考案の開示】
【考案が解決しようとする課題】
【０００３】
本考案の主な目的は、サーキットボード、バッテリーを設け、サーキットボードにＬＥＤライトとスピーカーを設置することで、ＬＥＤライトが発光と同時に、ホイッスルの音を発する交通指揮棒の構造を提供することにある。
【課題を解決するための手段】
【０００４】
上述の目的を解決するために、本考案は交通指揮棒の構造を提供するものであり、サーキットボード、バッテリー、ＬＥＤライトとスピーカーを設置することで、ＬＥＤライトが発光すると同時に、ホイッスルの音を発する交通指揮棒の構造を提供することにある。
【考案の効果】
【０００５】
本考案はサーキットボード、バッテリー、ＬＥＤライトとスピーカーを設置することで、交通指揮棒が発光とホイッスルのアラーム音を発することができ、安全面を考慮した上、交通を指揮する者は口を使用しないためにマスクをすることができ、多量の排気ガスから体の健康を守ることができる。
【考案を実施するための最良の形態】
【０００６】
図１、図２が示すのは、棒体部の中にサーキットボード１２、数個のＬＥＤライト１３を設置し、透明カバー１０１がＬＥＤライト１３を覆う。把持部１０の中に電源を供給するバッテリー１１及びライトスイッチ１５を設置する。その特徴は、サーキットボード１２と連結するスピーカー１４を設置することであり、サーキットボード１２よりホイッスルのような音を発し、その音がスピーカーを通じて外部に伝わる効果を持つ。スピーカーのスイッチ１６を同時に設けるため、発声するか否かを選択できる。
【０００７】
本考案のサーキットボード１２はＬＥＤライト１３、スピーカー１４を連結し、サーキットボード１２はＬＥＤライト１３の明滅及び持続発光をコントロールする機能及び、ホイッスルに似た音を発する機能を具有する。ライトスイッチ１５をオンした時、ＬＥＤライト１３が発光し、光る指揮棒の効果を持つ。スピーカースイッチ１６をオンした時、サーキットボード１２より発するホイッスル音がスピーカー１４を通じて、外部に伝わる指揮棒の構造。
【０００８】
本考案は口を使わなくてもホイッスルの音を出すことができるため、口は疲れず、同時に交通を指揮する人はマスクを着用でき、車両の排気ガスを吸い込むのを防ぐ効果を合わせ持つ。
【図面の簡単な説明】
【０００９】
【図１】本考案の立体外観図である。
【図２】本考案の構造断面図である。
【符号の説明】
【００１０】
１０  把持部  
１１  バッテリー
１２  サーキッドボード  
１３  ＬＥＤライト    
１４  スピーカー  
１５  ライトスイッチ  
１６  スピーカースイッチ    
１０１  透明カバー  
【図１】
0003128623.tif 000003
【図２】
0003128623.tif 000004
(57)【要約】【課題】  多数の可搬式茶葉刈取装置を場所をとらないで収容できる収納器具を提供する。【解決手段】キャスター２１付きの基台２の上に直立して設けた２本の支柱の上にフレーム４を取付け、このフレーム４の上に２本対になった腕木５を設ける。腕木５の先端は上方に折り曲げられて係止部５９が設けられている。この腕木５に可搬式茶葉刈取装置９のハンドル９１の横木９１１を引っかけて可搬式茶葉刈取装置を懸垂して収納する。この腕木５の対を複数個取り付ければ１台の収納器具に多数の可搬式茶葉刈取装置を収納することができる。【選択図】  図４
0003128666.tif 000002
【実用新案登録請求の範囲】
【請求項１】
基台、該基台上に間隔を置いて垂直に取り付けられた２本の支柱、該２本の支柱の上端を接続する梁部材、該梁部材の上に間隔を置いて該梁部材に対して直角に取り付けられ且つ該梁部材より両端が側方に突出した２本一組の腕木を少なくとも１対備えたことを特徴とする可搬式茶葉刈取装置用収納器具。
【請求項２】
上記基台は少なくとも３個のキャスターを備えたことを特徴とする請求項１記載の可搬式茶葉刈取装置用収納器具。
【請求項３】
上記腕木はその両先端が上方に折り曲げられた係止部を有することを特徴とする請求項１記載の可搬式茶葉刈取装置用収納器具。
【請求項４】
上記２本の支柱の間には適宜の高さの腰板を取り付けたことを特徴とする請求項１記載の可搬式茶葉刈取装置用収納器具。
【考案の詳細な説明】
【技術分野】
【０００１】
本考案は、可搬式茶葉刈取装置を収納するための収納装置に関する。
【背景技術】
【０００２】
可搬式茶葉刈取装置は、例えば特開平９−２７５７４３号公報に詳細に記載されているように原動機で駆動されるバリカン型の刈り刃を備えた本体を２人の作業者が茶畝の両側から本体の左右に取り付けられたハンドルを持って移動しながら茶葉を刈り取るように構成されている。
【特許文献１】特開平９−２７５７４３号公報。
【０００３】
図５は現在一般的に使用されてる可搬式茶葉刈取装置を図示したものである。すなわち、可搬式茶葉刈取装置９は、原動機９４および刈り刃部９３を備えた本体９０の両側に２つのハンドル９１、９２が取り付けられている。
【考案の開示】
【考案が解決しようとする課題】
【０００４】
可搬式茶葉刈取装置は湾曲した本体９０と突出した原動機９４を備え、さらに両側には２つのハンドル９１、９２が横に突出しているので、これを倉庫等に収納する場合、嵩張って多くの収容面積が占められてしまう。そこで、収容面積を少なくするために壁等に立てかけて収納しようとしても、可搬式茶葉刈取装置自体は自立する構造を持っていないので倒れる可能性があり、極めて危険である。
【０００５】
本考案の第１の目的は、収納に場所をとる可搬式茶葉刈取装置をコンパクトに収納できる収納器具を安価に提供することである。
【０００６】
本考案の第２目的は、多数の可搬式茶葉刈取装置を１つの収納器具にコンパクトに収納することができる収納器具を提供することである。
【０００７】
本考案の第３目的は、多数の可搬式茶葉刈取装置を収納したまま自由に移動できる収納器具を提供することである。
【課題を解決するための手段】
【０００８】
本考案の可搬式茶葉刈取装置用収納器具は、基台、該基台上に間隔を置いて垂直に取り付けられた２本の支柱、該２本の支柱の上端を接続する梁部材、該梁部材の上に間隔を置いて該梁部材に対して直角に取り付けられ且つ該梁部材よりも両端が側方に突出した２本一組の腕木を少なくとも１対備えたことを特徴とする。
【０００９】
上記基台には少なくとも３個のキャスター、好ましくは基台の４隅に４個のキャスターを備えることにより、収納器具自体の移動を安定して且つ容易にすることができる。
【００１０】
上記腕木は２本１組で可搬式茶葉刈取装置のハンドル部を引っかけて吊り下げることができるように構成されている。しかも、この腕木は上記梁部材から左右両側に突出して取り付けられているので、１組で両側に１台ずつ計２台の可搬式茶葉刈取装置を吊り下げて収納できる。
【００１１】
さらに、この収納器具１は２本１組の腕木を少なくとも１組備えているが、好ましくは、１台の基台に３〜４組の腕木を備えることによって、６〜８台の可搬式茶葉刈取装置を収納することができる。
【００１２】
上記腕木の両先端は上方に折り曲げて係止部となっている。この構造によって、可搬式茶葉刈取装置を吊り下げた時に脱落しないようにしている。
【００１３】
上記２本の支柱の間には適宜の高さの腰板が取り付けられている。この腰板によって左右に吊り下げられた可搬式茶葉刈取装置がお互いに接触して傷が付くのを防止することができる。
【考案の効果】
【００１４】
（１）本考案の可搬式茶葉刈取装置用収納器具は、１台の収納器具で多数の可搬式茶葉刈取装置を場所とらないで安全に収容できる。
【００１５】
（２）本考案の可搬式茶葉刈取装置用収納器具は、多数の可搬式茶葉刈取装置を収納したままで容易に安定して移動することができる。
【考案を実施するための最良の形態】
【００１６】
本考案の最良の実施形態を次の実施例によって説明する。
【実施例】
【００１７】
図１〜図３は本考案の可搬式茶葉刈取装置用収納器具の実施例を示すもので、図中１は可搬式茶葉刈取装置用収納器具、２は長方形をした基台、３は基台２の左右両側のほぼ中心に垂直に設立した支柱、４は２本の支柱３，３の上端を結ぶ梁部材即ちフレームで、この実施例では長方形のフレームとして構成されている。５はこのフレーム４に取り付けられた腕木である。
【００１８】
腕木５はフレーム４に直角に取り付けられ、その両端は左右に突出している。そして２本の腕木５１、５２が１組となって可搬式茶葉刈取装置のハンドル９１の横木９１１を引っかけるように構成されてる。そのために腕木５の先端部は上方に折り曲げられて脱落防止の係止部５９を構成している。この腕木は、基台１台について少なくとも１対設けられている。この実施例では４組の腕木が取り付けられているので８台の可搬式茶葉刈取装置を収納することができる。
【００１９】
基台２には４個のキャスター２１が取付られている。キャスター２１には車輪の回転を阻止するためのロック装置を取り付けるのが好ましい。６は前板で２本の支柱３、３の間に取り付けられている。これは両側に懸垂した可搬式茶葉刈取装置が互いに接触しないようにするためのものであるので、支柱の全長に亘って設ける必要はない。支柱の下半分を覆うように設けるのが好ましい。
【００２０】
図２および図３に示す５８はフックであって、このフックに紐を通し、その紐を柱や天井の梁に結んで、この収納器具の転倒を防止を図るためのものである。
【図面の簡単な説明】
【００２１】
【図１】本考案の可搬式茶葉刈取装置用収納器具の正面図。
【図２】図１の平面図。
【図３】図１の側面図。
【図４】本考案の可搬式茶葉刈取装置用収納器具の使用状態を示す側面。
【図５】可搬式茶葉刈取装置の斜視図。
【符号の説明】
【００２２】
２  基台
３  支柱
４  フレーム
５  腕木
９  可搬式茶葉刈取装置
【図１】
0003128666.tif 000003
【図２】
0003128666.tif 000004
【図３】
0003128666.tif 000005
【図４】
0003128666.tif 000006
【図５】
0003128666.tif 000007
(57)【要約】      （修正有） 【課題】本考案は安い製作費で、簡単に粉受けボックスに粉を集められる粉受けを提供する。【解決手段】本考案は備え付けの刷毛を左右に動かすことで粉を容易に粉入れボックスに集めることができ、清潔な黒板を保つことができる。粉受け１に移動式刷毛２を取りつけ、集められた粉は、粉入れボックス４，５に落下する仕組み。使用時は刷毛７を左右に数回動かすことで、簡単に粉を粉入れボックスに落とすことができ、清潔な粉受けを保つことができる。【選択図】図２
0003128679.tif 000002
【実用新案登録請求の範囲】
【請求項１】
左右に移動可能な、刷毛を取り付けた黒板の粉受けであって、粉受けに落ちたチョークの粉を左右移動可能な刷毛を動かすことで、簡単に粉入れボックスに集めることができるチョークの粉受け。
【考案の詳細な説明】
【技術分野】
【０００１】
本考案は、黒板のチョークの粉受けに関するものである。
【背景技術】
【０００２】
従来の黒板の粉受け（特許文献１参照）はチョークの粉を受ける機能は持っているものの粉を掃き出す仕組みがないため、粉がたまり、粉受けの汚れが目立つ黒板を多く見てきた。また、黒板空気清浄機（例えば特許文献２参照）では粉受けの清掃までは考えられていない。
【特許文献１】特開平７−１７２０９６
【特許文献２】特開２００２−２９１９７
【考案の開示】
【考案が解決しようとする課題】
【０００３】
従来の黒板の粉受けは、チョークの粉で汚れやすく、汚れたまま放置されているのをよく見る。また、その清掃は雑巾などによるふき掃除等で、必ずしも能率的でない。吸引機で取り除く方法もあるが、設置に費用がかかったりする。本考案は安い製作費で、簡単にチョークの粉を集められる粉受けを課題に考案されたものである。
【課題を解決するための手段】
【０００４】
本考案は図１に示すように、粉受けに移動式の刷毛を取り付けることにより、それを左右に動かすことで、チョークの粉を瞬時に粉入れボックスに集められるようにした。
【考案の効果】
【０００５】
本考案は上記の課題を解決するために成されたものであり、次の効果が得られる。
【０００６】
(1)チョークの粉を瞬時に集めることができる。
(2)誰でも気付いたときに簡単な動作で粉受けをクリーンにすることができる。
【考案を実施するための最良の形態】
【０００７】
本考案は、備え付けの刷毛を左右に動かすことでチョークの粉を粉入れボックスに集め、清潔な粉受けを保つための考案である。図２で説明すると、粉受け１に移動式刷毛２を取り付ける。チョーク入れ３、粉入れボックス４，５が粉受けの下に設置され、移動式刷毛２で集められた粉は、落下孔を通って粉入れボックス４，５に落下する仕組みである。
【０００８】
粉受け１と移動式刷毛２の接続部分は図３、に示すように刷毛掛け６、移動式刷毛２の両端に刷毛腕７を設け、左右に移動できるような構造になっている。図４で示すように粉受けの左右両端部には粉入れボックスに粉が落ちるように落下孔８、中央にはチョーク落下孔９が設けられている。
【０００９】
使用時は移動式刷毛２を左右に数回動かすことで、簡単に粉を粉入れボックスに落とすことができる。
【実施例１】
【００１０】
刷毛掛け６と刷毛腕７は凹凸の仕組みになっていて、左右への移動がスムーズにいくようにする。
【００１１】
落下孔８はけ粉がスムーズに落下するよう、図５のように異なる孔を２つ設ける
【００１２】
刷毛はつまみ９を設け指がかかりやすくする。
【産業上の利用可能性】
【００１３】
本考案は黒板のチョークの粉受けを清潔に保つために工夫された考案で、特に使用頻度の高い学校の黒板などには、本考案に変えることで清潔な教室環境を保つことができ、需要は大きいと考えられる。
【図面の簡単な説明】
【００１４】
【図１】全体の斜視図
【図２】粉受け全体の斜視図
【図３】粉受けの側面図及び移動式刷毛の正面図      （ａ）粉受けの側面図      （ｂ）刷毛の正面図      （ｃ）粉受け、刷毛の側面図
【図４】粉受けの平面図
【符号の説明】
【００１５】
１粉受け
２移動式刷毛
３チョーク入れ
４左粉入れボックス
５右粉入れボックス
６刷毛受け
７刷毛腕
８落下孔
９チョーク落下孔
１０つまみ
【図１】
0003128679.tif 000003
【図２】
0003128679.tif 000004
【図３】
0003128679.tif 000005
【図４】
0003128679.tif 000006
(57)【要約】【課題】  縦金具（Ａ）と横金具（Ｂ）及び前面ネット（Ｃ）の組立てにより大きさの異なる図面ホルダーを容易に提供する。【解決手段】  縦金具（Ａ）と横金具（Ｂ）及び前面ネット（Ｃ）で組立てられたことを特徴とする。【選択図】図１
0003128696.tif 000002
【実用新案登録請求の範囲】
【請求項１】
あらかじめ用意された数種類の大きさの異なる縦金具、横金具及び前面ネットの組合せにより短時間に必要とする大きさに製作出来る図面ホルダー
【考案の詳細な説明】
【技術分野】
【０００１】  この考案は縦金具、横金具及び前面ネットの組立により製作された図面ホルダーに関するものである。
【背景技術】
【０００２】  従来、大きさの異なる図面ホルダーが必要な場合はそのつど金型を製作する必要があった。
【考案の開示】
【考案が解決しようとする課題】
【０００３】  高額で、製作日数のかかる金型製作の不便を解決するためのものである。
【課題を解決するための手段】
【０００４】  縦金具（Ａ）と横金具（Ｂ）及び前面ネット（Ｃ）とした図面ホルダーである。
本考案は以上の構成によりなる図面ホルダーである。
【作用】
【０００５】  この図面ホルダーは両面テープ又はネジ止め、溶接等により必要個所に取付けられる。
【実施例】
【０００６】  以下本考案の実施例について説明する。
縦金具（Ａ）と横金具（Ｂ）及び前面ネット（Ｃ）を組立てた図面ホルダー。
本考案は以上のような構造でこれを取付けるときは両面接着テープ又はネジ止め、溶接等により電気設備構造物等の必要個所に取付けられる。
【考案の効果】
【０００７】  本考案の図面ホルダーは必要な大きさの急な変更にも対処出来る便利なものである。
【図面の簡単な説明】
【０００８】
【図１】…本考案の斜視図である。
【図２】…本考案の組立てを示す斜視図である。
【図３】…従来の図面ホルダーの斜視図である。
【符号の説明】
【０００９】  １…縦金具（Ａ）、２…横金具（Ｂ）、３…前面ネット（Ｃ）
【図１】
0003128696.tif 000003
【図２】
0003128696.tif 000004
【図３】
0003128696.tif 000005
【手続補正書】
【提出日】平成18年4月26日(2006.4.26)
【手続補正１】
【補正対象書類名】実用新案登録請求の範囲
【補正対象項目名】全文
【補正方法】変更
【補正の内容】
【実用新案登録請求の範囲】
【請求項１】
前面ネットの側面に縦金具及び横金具を嵌め込み、接合部分を固定することにより構成される図面ホルダーであって、大きさの異なる数種類の縦金具、横金具及び前面ネットを組合せることにより短時間に必要とする大きさに製作出来ることを特徴とする図面ホルダー。
【手続補正書】
【提出日】平成18年8月4日(2006.8.4)
【手続補正１】
【補正対象書類名】実用新案登録請求の範囲
【補正対象項目名】全文
【補正方法】変更
【補正の内容】
【実用新案登録請求の範囲】
【請求項１】
前面ネットの左右（又は上下）両側面に縦金具を嵌め込み、前面ネットの下（又は左右）側面に横金具を嵌め込んだ後、前面ネットと縦金具が接合する部分及び前面ネットと横金具が接合する部分を固定することにより構成される縦（又は横）出し入れ型の図面ホルダーであって、大きさの異なる数種類の縦金具、横金具及び前面ネットを組合せることにより短時間に必要とする大きさに製作出来ることを特徴とする図面ホルダー。
【手続補正書】
【提出日】平成18年10月18日(2006.10.18)
【手続補正１】
【補正対象書類名】実用新案登録請求の範囲
【補正対象項目名】全文
【補正方法】変更
【補正の内容】
【実用新案登録請求の範囲】
【請求項１】
前面ネットの左右両側面に縦金具を嵌め込み、前面ネットの下側面に横金具を嵌め込んだ後、前面ネットと縦金具が接合する部分及び前面ネットと横金具が接合する部分を固定することにより構成される図面ホルダーであって、大きさの異なる数種類の縦金具、横金具及び前面ネットを組合せることにより短時間に必要とする大きさに製作出来ることを特徴とする図面ホルダー。